(57)【要約】【課題】  螺着作業を必要とせず、設置現場においてパネルを容易に取り付けることができる電気機器収納用箱体を提供する。【解決手段】  背板１ｄ上に形成した補強枠７に、パネル２下辺を載置して保持するアングル枠４と、背板に並行な面内で回動してパネル２上部を左右から挟持する回動挟持部材５，５とを取り付けた。回動挟持部材５は、パネル２を挟持するパネル挟持片と補強枠７を挟持する補強枠挟持片とを有し、パネル２上部を回動操作で挟持した際、背板１ｄの一部を合わせて挟持させた。【選択図】  図１
2008125193.tif 000002
【特許請求の範囲】
【請求項１】
左右側板、天板、底板、及び背板を有し内部に機器組み付け用のパネルを備えた箱本体と、その前面を閉塞する扉板とを有する電気機器収納用箱体において、前記背板にパネル下辺を載置して保持するパネル受け手段と、背板に並行移動させてパネル縁部を嵌合するパネル嵌合手段とを設け、パネル嵌合手段の移動操作によりパネルを取り付けることを特徴とする電気機器収納用箱体。
【請求項２】
パネル嵌合手段は、背板に軸着する軸着部とパネルを挟持する挟持部を有し、回動操作でパネル上部を挟持する請求項１記載の電気機器収納用箱体。
【請求項３】
パネル嵌合手段は、パネルを挟持する際に背板に固着形成された舌状部を合わせて挟持する請求項１又は２記載の電気機器収納用箱体。
【発明の詳細な説明】
【技術分野】
【０００１】
本発明は、電気機器や通信機器等を収納する電気機器収納用箱体に関し、特に機器を組み付けるために箱体内に設置するパネルの取付構造の改良に関する。
【背景技術】
【０００２】
配電用の電気機器や通信機器等の電子機器を組み付ける箱体は、木製や金属製のパネルを箱体内に取り付けて機器をそのパネルに組み付けて収納している。従来、このパネルは例えば図６に示すように、箱体の内底部（背面）に取り付けられている。図６において、２０は箱本体、２１はパネル、２２は箱本体２０の背板に取り付けられたボルト、２３はナットであり、ボルト２２を背板に起立配置し、パネルに孔２４を設けてボルト２２を挿通し、ナット２３で螺着して取り付けていた（例えば、特許文献１参照）。
【特許文献１】特開２００３−３３２７６５号公報
【発明の開示】
【発明が解決しようとする課題】
【０００３】
しかしながら、パネル２１は箱体の設置現場において取り付けられることが多く、ボルト２２を使用する上記パネル２１の取付構造は、螺着作業が必要であるため面倒であった。特に大きなパネルになると、パネル自体の扱いが面倒であり、パネルに予め機器を組み付けてからパネルを箱内に取り付けることはできなかった。
そこで、本発明はこのような問題点に鑑み、螺着作業を必要とせず、設置現場においてパネルを容易に取り付けることができる電気機器収納用箱体を提供することを目的としている。
【課題を解決するための手段】
【０００４】
上記課題を解決する為に、請求項１の発明は、左右側板、天板、底板、及び背板を有し内部に機器組み付け用のパネルを備えた箱本体と、その前面を閉塞する扉板とを有する電気機器収納用箱体において、前記背板にパネル下辺を載置して保持するパネル受け手段と、背板に並行移動させてパネル縁部を嵌合するパネル嵌合手段とを設け、パネル嵌合手段の移動操作によりパネルを取り付けることを特徴とする。
この構成によれば、パネル受け手段にパネルを載置して保持させた後、パネル嵌合手段を操作してパネル縁部を嵌合することでパネルを箱本体内に取り付けることができる。よって、螺着操作等面倒な作業を必要としないし、パネルの位置決めはパネル受け手段に保持させた後に行えば良く、左右にスライドさせる簡易な操作で位置決めできるので、機器を組み付けたパネルであっても容易に取り付けできる。
【０００５】
請求項２の発明は、請求項１に記載の発明において、パネル嵌合手段は、背板に軸着する軸着部とパネルを挟持する挟持部を有し、回動操作でパネル上部を挟持することを特徴とする。
この構成によれば、回動操作で挟持でき、簡易な操作でパネルを取り付けできるし、パネル嵌合手段は背板に連結されているので、落下するような事もない。
【０００６】
請求項３の発明は、請求項１又は２に記載の発明において、パネル嵌合手段は、パネルを挟持する際に背板に固着形成された舌状部を合わせて挟持することを特徴とする。
この構成によれば、簡易な構成で堅牢にパネルを背板に取り付けでき、パネル嵌合手段自体を背板に対して堅牢に連結する必要がなくなる。
【発明の効果】
【０００７】
本発明によれば、載置操作及び挟持操作によりパネルを取り付けるので、螺着操作等面倒な作業を必要としない。また、パネルの位置決めはパネル受け手段に保持させた後に行えば良く、左右にスライドさせる簡易な操作で位置決めできるので、機器を組み付けたパネルであっても容易に取り付けできる。
【発明を実施するための最良の形態】
【０００８】
以下、本発明を具体化した実施の形態を、図面に基づいて詳細に説明する。図１〜図３は本発明に係る電気機器収納用箱体の一例を示し、図１は扉板を省略した箱本体の斜視図、図２は図１の側面説明図、図３は扉板で箱本体を閉塞した状態の外観図であり、１は箱本体、２はパネル、３は扉板、４はパネル受け手段としてのアングル枠、５はパネル嵌合手段としての回動挟持部材である。
【０００９】
箱本体１は、左右側板１ａ，１ａ、天板１ｂ、底板１ｃ、及び背板１ｄを有し、前面が大きく開口している。この箱本体１は、背板をボルト等で壁面に固定することで壁面に取り付けられる。そして、必要に応じて天板１ｂ或いは底板１ｃに電線等の配線挿通孔穴が穿設されて使用される。扉板３は、箱本体１の右端部に蝶着され、図３に示すように左側中央部に設けたハンドル６を操作して開閉可能となっている。
【００１０】
アングル枠４及び回動挟持部材５は、背板に設けられた補強枠７に取り付けられている。補強枠７は左右に２本、上下に亘り形成され、逆Ｌ字状の断面を有して平坦な取付面７ａ（図４に示す）を備えている。この補強枠７は、取り付けられるパネル２の幅に合わせた間隔で形成され、背板１ｄに別途溶接して形成されているが、側板１ａの背部を折り曲げて形成しても良い。この補強枠７を設けることで、パネル２を取り付ける背板１ｄを補強できると共にアングル枠４や回動挟持部材５の取り付け及び操作をし易くしている。
アングル枠４は、上方にＬ字状に折り曲げ形成して設けたパネル収容部を有する棒状枠体であり、左右の補強枠７に渡して取り付けられている。
【００１１】
回動挟持部材５は、図４に示すような形状を有して左右の補強枠７上部に取り付けられる。図４（ａ）は正面図、図４（ｂ）は側面図、図４（ｃ）は取り付ける様子を示す斜視図であり、何れも左側に取り付けられる回動挟持部材５を示し、右側に取り付けられる回動挟持部材５は左右反転した形状となっている。
この図に示すように、補強枠７に軸着される基板５ａの前面にパネル挟持片５ｂ、背面に補強枠挟持片５ｃが形成され、基板５ａ端部には補強枠７に取り付けるための連結孔１０を有し、リベット１１で回動可能に取り付けられる。パネル挟持片５ｂの先端挿入部はパネル２の厚みより僅かに狭く形成され、パネル２を圧するように挟持するし、補強枠挟持片５ｃも先端挿入部が補強枠７の舌状部としての取付面７ａの厚みより僅かに狭く形成され、補強枠７を圧するように挟持する。
【００１２】
パネル受け手段、及びパネル嵌合手段をこのように構成した電気機器収納用箱体は、次のようにパネル２が取り付けられる。箱本体１の開口部から挿入されたパネル２は、先ず底部がアングル枠４に挿入されて保持される。そして、左右方向の位置合わせを行い、補強枠７をパネル２の左右端部に一致させる。補強枠７はパネル２の幅に合わせて配置され、パネル２を中央に配置することでパネル２の左右側面と補強枠７端部は面一の状態となる。位置合わせした後、回動挟持部材５を回動してパネル２を挟持させる。
【００１３】
図５は、この回動挟持部材５によるパネル２の挟持動作を示し、図５（ａ）は挟持前、図５（ｂ）は挟持後を示している。上部が背板１ｄに軸着された回動挟持部材５は、背板に並行な面内で回動し、左側上部に設けられた回動挟持部材５は、図５に示すように回動操作によりパネル２の左側上部を挟持し、このとき補強枠７も同時に挟持する。同様に、右側後部に設けられた回動挟持部材（図示せず）も、回転操作によりパネル２右側上部を挟持すると同時に補強枠７も挟持する。こうして、パネル２は背板１ｄに固定される。
【００１４】
このように、パネル受け手段にパネルを保持させた後、上部を回動挟持部材を操作して挟持することでパネルを取り付けることができる。よって、螺着操作等面倒な作業を必要とせず、機器を組み付けたパネルであっても容易に取り付けることができるし、取り外しも容易であり、メンテナンスの際作業し易い。
また、パネルの位置決めはパネル受け手段に保持させた後に行えば良く、左右にスライドさせる簡易な操作で位置決めできるし、回動操作で挟持でき、簡易な操作でパネルを取り付けできる。
更に、回動挟持部材によりパネルを挟持する際、背板に設けられた補強枠も挟持するので、簡易な構成で堅牢にパネルを背板に取り付けでき、回動挟持部材自体を背板に対して堅牢に連結する必要がない。また、回動挟持部材は、背板に連結されているので、落下するような事もない。
【００１５】
尚、上記実施形態では、パネル嵌合手段としての回動挟持部材５にパネル挟持片５ｂと補強枠挟持片５ｃを独立形成しているが、１つの挟持片により双方を重ねて挟持しても良い。また、パネル嵌合手段を回動操作してパネルを挟持する回動挟持部材５として構成しているが、パネル嵌合手段に長孔等を設けてスライド可能に背板１ｄに取り付けて、背板上でスライドさせてパネル２を挟持させても良い。
更に、パネル嵌合手段を左右に一対設けているが、パネル上辺を挟持するよう配置すれば１個で構成する事ができるし、挟持操作後、挟持状態が外れないようにパネル２にネジ止めする構成としても良い。
また、パネル受け手段はパネル２の下辺全体に亘る長さを有するアングル枠４としているが、左右で分離して夫々の補強枠７に取り付けて、２箇所で保持するよう形成しても良い。
【図面の簡単な説明】
【００１６】
【図１】本発明に係る電気機器収納用箱体の一例を示し、箱本体を下方から見た斜視図である。
【図２】図１の側面説明図であり、内部構造を透視した状態を示している。
【図３】図１の箱本体に蓋板を取り付けた電器機器収納用箱体全体の斜視図である。
【図４】回動挟持部材を示し、（ａ）は正面図、（ｂ）は右側面図、（ｃ）は箱本体に取り付ける様子を示す斜視図である。
【図５】回動挟持部材によるパネル挟持を示す要部斜視図であり、（ａ）は挟持前、（ｂ）は挟持後を示している。
【図６】従来のパネル取り付け形態を示す箱本体の要部斜視図である。
【符号の説明】
【００１７】
１・・箱本体、２・・パネル、３・・扉板、４・・アングル枠（パネル受け手段）、５・・回動挟持部材（パネル嵌合手段）、５ｂ・・パネル挟持片、５ｃ・・補強枠挟持片、７・・補強枠、７ａ・・取付面（舌状部）、１０・・連結孔。
【図１】
2008125193.tif 000003
【図２】
2008125193.tif 000004
【図３】
2008125193.tif 000005
【図４】
2008125193.tif 000006
【図５】
2008125193.tif 000007
【図６】
2008125193.tif 000008